(57)【要約】      （修正有）【課題】トリガー杆の係脱部を係止杆部に係止して閉込扉体を開口状態に保持することができ、小動物の踏圧により閉込扉体を閉口動作させることができる小動物捕獲器を提供する。【解決手段】かご状本体１の前面の進入口部２を開閉可能な閉込扉体３が設けられ、かご状本体１内に踏板部材４が傾動自在に配設される。踏板部材４の傾動により閉込扉体３を閉口させる連動機構５として、かご状本体１の上面にトリガー杆５ｂを進退移動自在に配設し、踏板部材４にトリガー片５ｃを配設し、トリガー片５ｃにトリガー杆５ｂを遊挿通し、トリガー杆５ｂの後部にトリガー片５ｃに当接可能な当接部５ｄを配設し、閉込扉体３に係止杆部６を配設し、トリガー杆５ｂの前部に係止杆部６に係脱可能な係脱部７を配設してなる。【選択図】図１
0003180310.tif 000002
【実用新案登録請求の範囲】
【請求項１】
かご状本体の前面に小動物が進入可能な進入口部が形成され、該進入口部を開閉可能な閉込扉体が設けられ、閉込扉体を閉口動作させるバネ部材が配設され、該かご状本体内に踏板部材が支点部により傾動自在に配設され、該閉込扉体を該進入口部が開口する開口状態に保持すると共に小動物の踏圧により踏板部材が傾動したとき該閉込扉体を閉口作動させる連動機構が設けられてなり、上記連動機構として、上記かご状本体の上面にトリガー杆を進退移動自在に配設し、上記踏板部材にトリガー片を配設し、該トリガー片に該トリガー杆を遊挿通し、該トリガー杆の後部に該トリガー片に当接可能な当接部を配設し、上記閉込扉体に係止杆部を配設し、トリガー杆の前部に該係止杆部に係脱可能な係脱部を配設し、トリガー杆の係脱部を係止杆部に係止して該閉込扉体を進入口部が開口する開口状態に保持し、小動物の踏圧により踏板部材が傾動し、踏板部材の傾動によりトリガー片が当接部に当接してトリガー杆が前進移動し、トリガー杆の前進移動によりトリガー杆の係脱部から係止杆部が離脱して係止杆部の係止が解除され、閉込扉体を閉口動作させるように構成したことを特徴とする小動物捕獲器。
【請求項２】
上記係脱部は上記トリガー杆の前部を後方に折り返してＵ状フック部に形成され、上記係止杆部は上記トリガー杆の移動方向に伸縮調節自在に設けられ、該係止杆部の伸縮調節により該係止杆部とＵ状フック部との係合長を変更自在に設けられていることを特徴とする請求項１記載の小動物捕獲器。
【請求項３】
上記かご状本体の上記進入口部と反対側の後面に取出口部が形成され、該取出口部を覆う取出扉体が設けられていることを特徴とする請求項２記載の小動物捕獲器。
【考案の詳細な説明】
【技術分野】
【０００１】
本考案は、例えば、タヌキ、アライグマ、ハクビシン、キツネ、イタチなどの小動物を捕獲する際に用いられる小動物捕獲器に関するものである。
【背景技術】
【０００２】
従来、この種の小動物捕獲器として、かご状本体の前面に小動物が進入可能な進入口部が形成され、進入口部を開閉可能な閉込扉体が設けられ、閉込扉体を閉口動作させるバネ部材が配設され、かご状本体内に踏板部材が支点部により傾動自在に配設され、閉込扉体を該進入口部が開口する開口状態に保持すると共に小動物の踏圧により踏板部材が傾動したとき閉込扉体を閉口作動させる連動機構が設けられた構造のものが知られている。
【先行技術文献】
【特許文献】
【０００３】
【特許文献１】実用新案登録第３１３３０７９号
【特許文献２】実用新案登録第３１５３２１８号
【考案の概要】
【考案が解決しようとする課題】
【０００４】
しかしながら上記従来構造の場合、上記連動機構として、閉込扉体と踏板部材との間にトリガー杆を架設して構成され、トリガー杆はかご状本体の側面に配置され、トリガー杆がかご状本体の側面に配置されていることにより、タヌキ、アライグマ等の捕獲すべき小動物がかご状本体に興味を示して近寄り、かご状本体の側面に近寄る小動物がトリガー杆に接触し易くなり、小動物がトリガー杆に接触することにより閉込扉体が閉口作動し、捕獲していないのに捕獲したとして誤作動を起こしてしまうことがあるという不都合を有している。
【課題を解決するための手段】
【０００５】
本考案はこれらの不都合を解決することを目的とするもので、本考案のうちで、請求項１記載の考案は、かご状本体の前面に小動物が進入可能な進入口部が形成され、該進入口部を開閉可能な閉込扉体が設けられ、閉込扉体を閉口動作させるバネ部材が配設され、該かご状本体内に踏板部材が支点部により傾動自在に配設され、該閉込扉体を該進入口部が開口する開口状態に保持すると共に小動物の踏圧により踏板部材が傾動したとき該閉込扉体を閉口作動させる連動機構が設けられてなり、上記連動機構として、上記かご状本体の上面にトリガー杆を進退移動自在に配設し、上記踏板部材にトリガー片を配設し、該トリガー片に該トリガー杆を遊挿通し、該トリガー杆の後部に該トリガー片に当接可能な当接部を配設し、上記閉込扉体に係止杆部を配設し、トリガー杆の前部に該係止杆部に係脱可能な係脱部を配設し、トリガー杆の係脱部を係止杆部に係止して該閉込扉体を進入口部が開口する開口状態に保持し、小動物の踏圧により踏板部材が傾動し、踏板部材の傾動によりトリガー片が当接部に当接してトリガー杆が前進移動し、トリガー杆の前進移動によりトリガー杆の係脱部から係止杆部が離脱して係止杆部の係止が解除され、閉込扉体を閉口動作させるように構成したことを特徴とする小動物捕獲器にある。
【０００６】
又、請求項２記載の考案は、上記係脱部は上記トリガー杆の前部を後方に折り返してＵ状フック部に形成され、上記係止杆部は上記トリガー杆の移動方向に伸縮調節自在に設けられ、該係止杆部の伸縮調節により該係止杆部とＵ状フック部との係合長を変更自在に設けられていることを特徴とするものであり、又、請求項３記載の考案は、上記かご状本体の上記進入口部と反対側の後面に取出口部が形成され、該取出口部を覆う取出扉体が設けられていることを特徴とするものである。
【考案の効果】
【０００７】
本考案は上述の如く、請求項１記載の考案にあっては、連動機構により閉込扉体を開口状態に保持して進入口部を開口すると共にかご状本体内に小動物の好物である餌を置き、又は、かご状本体の上面から吊下した餌付杆に餌を付けて置き、この待機状態において、小動物が進入口部から進入し、小動物が踏板部材を踏圧すると踏板部材は支点部を中心として傾動し、この踏板部材の傾動により連動機構及びバネ部材により閉込扉体は閉口作動し、かご状本体内に小動物が閉じ込められて捕獲されることになり、捕獲後、小動物をかご状本体内から取り出すことになり、この際、上記連動機構として、上記かご状本体の上面にトリガー杆を進退移動自在に配設し、上記踏板部材にトリガー片を配設し、トリガー片にトリガー杆を遊挿通し、トリガー杆の後部にトリガー片に当接可能な当接部を配設し、上記閉込扉体に係止杆部を配設し、トリガー杆の前部に係止杆部に係脱可能な係脱部を配設しているから、トリガー杆の係脱部を係止杆部に係止して閉込扉体を進入口部が開口する開口状態に保持することができ、小動物の踏圧により踏板部材が傾動し、踏板部材の傾動によりトリガー片が当接部に当接してトリガー杆が前進移動し、トリガー杆の前進移動によりトリガー杆の係脱部から係止杆部が離脱して係止杆部の係止が解除され、閉込扉体を閉口動作させることができ、閉込扉体の開閉作動を確実に行うことができると共にトリガー杆はかご状本体の上面に配置されていることにより、タヌキ、アライグマ等の捕獲すべき小動物がかご状本体に興味を示して近寄っても小動物がトリガー杆に接触することがなくなり、小動物が捕獲されていないのに踏板部材が踏圧されたとして誤作動を起こしてしまうことを防ぐことができ、それだけ、小動物の捕獲効率を向上することができる。
【０００８】
又、請求項２記載の考案にあっては、上記係脱部は上記トリガー杆の前部を後方に折り返してＵ状フック部に形成され、上記係止杆部は上記トリガー杆の移動方向に伸縮調節自在に設けられ、係止杆部の伸縮調節により係止杆部とＵ状フック部との係合長を変更自在に設けられているから、踏板部材を少し踏み込むだけで閉込扉体の閉口動作が開始されたり、踏板部材を充分に踏み込まなければ閉込扉体の閉口動作が開始しないなどの閉込扉体の閉口動作開始時期を変更することができ、それだけ、使用条件や捕獲すべき小動物の特性に対応することができ、小動物の捕獲効率を向上することができ、又、請求項３記載の考案にあっては、上記かご状本体の上記進入口部と反対側の後面に取出口部が形成され、取出口部を覆う取出扉体が設けられているから、小動物が騒いでも小動物の状況を把握しながら徐々に開口することができ、捕獲した小動物を取り逃がすことなく、確実に取り出すことができる。
【図面の簡単な説明】
【０００９】
【図１】本考案の実施の形態例の全体斜視図である。
【図２】本考案の実施の形態例の前面図である。
【図３】本考案の実施の形態例の後面図である。
【図４】本考案の実施の形態例の全体側断面図である。
【図５】本考案の実施の形態例の拡大後部側断面図である。
【図６】本考案の実施の形態例の拡大前部側断面図である。
【図７】本考案の実施の形態例の拡大前部平面図である。
【図８】本考案の実施の形態例の拡大前部断面図である。
【図９】本考案の実施の形態例の拡大前部平面図である。
【図１０】本考案の実施の形態例の拡大前部断面図である。
【図１１】本考案の実施の形態例の拡大前部平面図である。
【考案を実施するための形態】
【００１０】
図１乃至図１１は本考案の実施の形態例を示し、１はかご状本体であって、この場合、線材Ｗにより四角かご状に形成され、前面に小動物Ｑが進入可能な進入口部２が形成されている。
【００１１】
３は閉込扉体であって、図１の如く、上記進入口部２を開閉可能な大きさに形成され、閉込扉体３の上辺杆部３ａを進入口部２の開口上辺杆部２ａに枢着部Ｍにより連結し、この枢着部Ｍを支点として開閉自在に設け、かつ、かご状本体１に進入口部２の開口左右辺部に沿って左右一対のガイド杆Ｇ・Ｇを縦設し、ガイド杆Ｇ・Ｇ間に押さえ杆Ｆを上下動自在に係合し、かご状本体１の上面にバネ掛け杆１ａを固定すると共に閉込扉体３の下辺杆部にバネ掛け杆３ｂを固定し、両バネ掛け杆１ａ・３ｂの左右両端部間に開閉用のバネ部材１ｂ・１ｂを掛架し、押さえ杆Ｆを下方位置に移動することにより閉込扉体３の前面を押さえて閉込扉体３の枢着部Ｍを中心とする不測の上向き開口揺動を阻止し、押さえ杆Ｆを上方位置に移動することにより閉込扉体３を枢着部Ｍを中心とする上向き開口揺動を許容すると共にバネ部材１ｂ・１ｂにより閉込扉体３を閉口揺動自在に設けて構成している。
【００１２】
４は踏板部材であって、この場合、図１、図４、図５の如く、上記かご状本体１内に支点部４ａにより傾動自在に配設され、この場合、かご状本体１の両側面下部に軸受片１ｃ・１ｃを取り付け、軸受片１ｃ・１ｃ間に支点軸１ｄ・１ｄを架設し、支点軸１ｄ・１ｄに踏板枠１ｅの後部を固定し、踏板枠１ｅの上面に踏板部材４を固定して構成している。
【００１３】
５は連動機構であって、図１、図４、図５の如く、上記閉込扉体３を進入口部２が開口する開口状態に保持すると共に小動物Ｑの踏圧により上記踏板部材４が傾動したとき閉込扉体３を閉口作動させる構造となっており、この場合、かご状本体１の上面に軸受板５ａによりトリガー杆５ｂを前後方向に進退移動自在に設け、上記踏板部材４の踏板枠１ｅに起立枠１ｆを立設し、起立枠１ｆの中央部にトリガー片５ｃを取り付け、トリガー片５ｃにトリガー杆５ｂを遊挿通し、トリガー杆５ｂの後部にトリガー片５ｃに当接可能な径大な当接部５ｄを形成し、上記閉込扉体３の前面に係止杆部６を配設し、トリガー杆５ｂの前部に係止杆部６に係脱可能な係脱部７を配設して構成されている。
【００１４】
この場合、図１、図８、図９、図１０、図１１の如く、上記係脱部７は上記トリガー杆５ｂの前部を後方に折り返してＵ状フック部７ａに形成され、上記係止杆部６として、上記閉込扉体３の前面に軸受筒３ｃ・３ｃを固定し、軸受筒３ｃ・３ｃに係止杆部６を移動自在に挿通して係止杆部６を上記トリガー杆５ｂの移動方向に伸縮調節自在に設け、係止杆部６の伸縮調節により係止杆部６とＵ状フック部７ａとの係合長Ｌを変更自在に設けて構成している。
【００１５】
しかして、図６の如く、押さえ杆Ｆを上方位置に移動し、閉込扉体３を枢着部Ｍを中心として上向き開口揺動して進入口部２を開口し、上記トリガー杆５ｂの係脱部７を係止杆部６に係止して閉込扉体３を進入口部２が開口する開口状態に保持し、小動物Ｑの踏圧により踏板部材４が傾動し、図６の想像線位置の如く、踏板部材４の傾動によりトリガー片５ｃが当接部５ｄに当接してトリガー杆５ｂが前進移動し、トリガー杆５ｂの前進移動によりトリガー杆５ｂの係脱部７から係止杆部６が離脱して係止杆部６の係止が解除され、閉込扉体３を閉口動作させることになる。
【００１６】
８は取出口部であって、図３、図５の如く、上記かご状本体１の上記進入口部２と反対側の後面に形成され、この取出口部８を覆う取出扉体９が枢着部Ｍを支点として開閉揺動自在に設けられ、かご状本体１の後面に取出扉体９を閉口状態に保持可能な保持体１０を開閉移動自在に形成し、保持体１０の下部に上記かご状本体１を構成する線材Ｗに係止可能な係止部１０ａ・１０ａを形成し、両係止部１０ａ・１０ａを線材Ｗに係止させる係止用引張バネ１０ｂを掛架して構成している。
【００１７】
しかして、図５の如く、保持体１０により取出扉体９を閉口状態に保持することができ、又、図５の想像線の如く、係止用引張バネ１０ｂに抗して左右の側辺杆部をそれぞれ外方に向けて開き動作させて両係止部１０ａ・１０ａを線材Ｗから離脱し、この離脱状態において、保持体１０を上昇退避させて取出扉体９の開動作を許容し、取出扉体９を垂直閉口位置から開口位置へと下向き揺動させて取出開口することができる。
【００１８】
この実施の形態例は上記構成であるから、図１、図４、図６、図７の如く、閉込扉体３を枢着部Ｍを中心として上向き開口揺動し、連動機構５により閉込扉体３を開口状態に保持して進入口部２を開口すると共にかご状本体１内に小動物Ｑの好物である餌Ｅを置き、又は、かご状本体１の上面から吊下した餌付杆に餌Ｅを付けて置き、この待機状態において、図５の想像線の如く、小動物Ｑが進入口部２から進入し、小動物Ｑが踏板部材４を踏圧すると踏板部材４は支点部４ａを中心として傾動し、この踏板部材４の傾動により連動機構５及びバネ部材１ｂ・１ｂにより閉込扉体３は図６の水平位置から下向きに閉口作動し、図２の如く、かご状本体１内に小動物Ｑが閉じ込められて捕獲されることになり、捕獲後、小動物Ｑをかご状本体１内から取り出すことになる。
【００１９】
この際、上記連動機構５として、図１の如く、上記かご状本体１の上面にトリガー杆５ｂを進退移動自在に配設し、上記踏板部材４にトリガー片５ｃを配設し、トリガー片５ｃにトリガー杆５ｂを遊挿通し、トリガー杆５ｂの後部にトリガー片５ｃに当接可能な当接部５ｄを配設し、上記閉込扉体３に係止杆部６を配設し、トリガー杆５ｂの前部に係止杆部６に係脱可能な係脱部７を配設しているから、図６の如く、トリガー杆５ｂの係脱部７を係止杆部６に係止して閉込扉体３を進入口部２が開口する開口状態に保持することができ、図５の想像線の如く、小動物Ｑの踏圧により踏板部材４が傾動し、図６の想像線の如く、踏板部材４の傾動によりトリガー片５ｃが当接部５ｄに当接してトリガー杆５ｂが前進移動し、トリガー杆５ｂの前進移動によりトリガー杆５ｂの係脱部７から係止杆部６が離脱して係止杆部６の係止が解除され、閉込扉体３を閉口動作させることができ、閉込扉体３の開閉作動を確実に行うことができると共にトリガー杆５ｂはかご状本体１の上面に配置されていることにより、タヌキ、アライグマ等の捕獲すべき小動物Ｑがかご状本体１に興味を示して近寄っても小動物Ｑがトリガー杆５ｂに接触することがなくなり、小動物Ｑが捕獲されていないのに踏板部材４が踏圧されたとして誤作動を起こしてしまうことを防ぐことができ、それだけ、小動物Ｑの捕獲効率を向上することができる。
【００２０】
又、この際、図８、図９の如く、上記係脱部７は上記トリガー杆５ｂの前部を後方に折り返してＵ状フック部７ａに形成され、上記係止杆部６は上記トリガー杆５ｂの移動方向に伸縮調節自在に設けられ、係止杆部６の伸縮調節により係止杆部６とＵ状フック部７ａとの係合長Ｌを変更自在に設けられているから、図１０、図１１の如く、踏板部材４を少し踏み込むだけで閉込扉体３の閉口動作が開始されたり、図８、図９の如く、踏板部材４を充分に踏み込まなければ閉込扉体３の閉口動作が開始しないなどの閉込扉体３の閉口動作開始時期を変更することができ、それだけ、使用条件や捕獲すべき小動物Ｑの特性に対応することができ、小動物Ｑの捕獲効率を向上することができ、又、この場合、図３の如く、上記かご状本体１の上記進入口部２と反対側の後面に取出口部８が形成され、該取出口部８を覆う取出扉体９が設けられているから、小動物Ｑが騒いでも小動物Ｑの状況を把握しながら徐々に開口することができ、捕獲した小動物Ｑを取り逃がすことなく、確実に取り出すことができる。
【００２１】
以上の如く、所期の目的を充分達成することができる。
【符号の説明】
【００２２】
Ｑ    小動物
Ｌ    係合長
１    かご状本体
１ｂ    バネ部材
２    進入口部
３    閉込扉体
４    踏板部材
４ａ    支点部
５    連動機構
５ｂ    トリガー杆
５ｃ    トリガー片
５ｄ    当接部
６    係止杆部
７    係脱部
７ａ    Ｕ状フック部
８    取出口部
９    取出扉体
【図１】
0003180310.tif 000003
【図２】
0003180310.tif 000004
【図３】
0003180310.tif 000005
【図４】
0003180310.tif 000006
【図５】
0003180310.tif 000007
【図６】
0003180310.tif 000008
【図７】
0003180310.tif 000009
【図８】
0003180310.tif 000010
【図９】
0003180310.tif 000011
【図１０】
0003180310.tif 000012
【図１１】
0003180310.tif 000013